(57)【特許請求の範囲】
【請求項１】
ボウル部と、該ボウル部の下端に接続されたトラップ部とを有する陶器製の洋風便器本体を備え、洗浄水により該ボウル部の洗浄を行い、該トラップ部に沿って後方側に該洗浄水を排水する洋風水洗式便器において、
外部より前記洗浄水を供給する給水管に直結され、バルブの開閉により該洗浄水を吐出可能な洗浄装置を備え、
前記洋風便器本体は、前記トラップ部に貫設されたノズル口を有し、かつ前記ボウル部から該トラップ部に至る該トラップ部の水平方向に延在する入口の中心は、該ボウル部の水平方向での中央以前に位置し、
該ノズル口には該洗浄装置とジェット用配管により接続されたジェットノズルが設けられ、該ジェットノズルのジェット口により該洗浄水が該トラップ部の頂端を指向して噴出され、該ジェット用配管は該洋風便器本体とは別に構成されていることを特徴とする洋風水洗式便器。
【請求項２】
トラップ部の頂端より上流側がボウル部の後壁により形成されていることを特徴とする請求項１記載の洋風水洗式便器。
【請求項３】
トラップ部は頂端より上流側で内面を円筒面とする円筒部を有し、該円筒部の軸芯線は水平方向に対して４５度以上で延在していることを特徴とする請求項１又は２記載の洋風水洗式便器。
【請求項４】
トラップ部の頂端より下流側が前方に屈曲していることを特徴とする請求項１、２又は３記載の洋風水洗式便器。
【発明の詳細な説明】
【０００１】
【発明が属する技術分野】
本発明は洋風水洗式便器に関する。
【０００２】
【従来の技術】
従来の洋風水洗式便器は、図７に示すように、陶器製の洋風便器本体９１と、この洋風便器本体９１に洗浄水を供給する図示しない洗浄タンク、ディストリビュータ９２等の洗浄装置とを備えている。洋風便器本体９１は、ボウル部９３と、このボウル部９３の上縁の全周に形成され、ボウル部９３に洗浄水を流下可能なリム通水路９４ａを内部にもつリム９４と、ボウル部９３の下端に接続されたトラップ部９５とを有している。トラップ部９５の排出口９５ｃには上下に延在する図示しない排水ソケットが接続され、排水ソケットは床面より突出した図示しない排水管と接続される。
【０００３】
この洋風水洗式便器では、洗浄タンクに貯留した洗浄水がディストリビュータ９２を介してリム通水路９４ａに供給され、そこから洗浄水がボウル部９３に流下される。ボウル部９３を洗浄した洗浄水はトラップ部９５によってサイホン効果を生じ、汚物とともにトラップ部９５に沿って後方側に排出される。
【０００４】
【発明が解決しようとする課題】
しかし、上記従来の洋風水洗式便器では、洋風便器本体９１の小型化の検討がなされておらず、全体として大型化しやすい。このため、近年の住宅等において、省スペースが図られず、比較的大きなスペースを確保できないトイレ室を益々狭小化してしまう。
【０００５】
本発明は、上記従来の実情に鑑みてなされたものであって、小型化を実現した洋風水洗式便器を提供することを解決すべき課題としている。
【０００６】
【課題を解決するための手段】
本発明者は、上記課題解決のため、鋭意検討を行い、ボウル部からトラップ部に至る水平方向に延在する入口の中心等に着目して本発明を完成するに至った。
【０００７】
すなわち、本発明の洋風水洗式便器は、ボウル部と、該ボウル部の下端に接続されたトラップ部とを有する陶器性の洋風便器本体を備え、洗浄水により該ボウル部の洗浄を行い、該トラップ部に沿って後方側に該洗浄水を排水する洋風水洗式便器において、
【０００８】
外部より前記洗浄水を供給する給水管に直結され、バルブの開閉により該洗浄水を吐出可能な洗浄装置を備え、
前記洋風便器本体は、前記トラップ部に貫設されたノズル口を有し、かつ前記ボウル部から該トラップ部に至る該トラップ部の水平方向に延在する入口の中心は、該ボウル部の水平方向での中央以前に位置し、
該ノズル口には該洗浄装置とジェット用配管により接続されたジェットノズルが設けられ、該ジェットノズルのジェット口により該洗浄水が該トラップ部の頂端を指向して噴出され、該ジェット用配管は該洋風便器本体とは別に構成されていることを特徴とする。
【０００９】
従来の洋風水洗式便器は、図７に示すように、ボウル部９３からトラップ部９５に至るトラップ部９５の水平方向に延在する入口ＴＩの中心ＴＯがボウル部９３の水平方向での中央ＢＯより後方に必ず位置していた。このため、ボウル部９３とトラップ部９５とによって構成されている洋風便器本体９１の全長は前後方向で必然的に長くなっている。これに対し、本発明の洋風水洗式便器では、そのトラップ部の入口の中心がボウル部の中央以前に位置しており、洋風便器本体の全長が前後方向で短くなる。
【００１０】
したがって、本発明の洋風水洗式便器は全体として小型化される。このため、近年の住宅等において、この洋風水洗式便器を採用すれば、省スペースを実現できる。このため、比較的大きなスペースを確保できないトイレ室であっても広大感を呈することができる。また、省スペースとなることから、使用者がトイレ室内で動き易くなったり、スペースの他への有効利用を実現することができる。さらに、こうして洋風水洗式便器が小型化することから、製造のための省資源化及び低コストを実現できる。
【００１１】
ここで、トラップ部の入口は、ボウル部からトラップ部に至る部分であり、水平方向に延在している。ボウル部からトラップ部に至る部分は、ボウル部の後壁の下端により決定される。図１に示すように、かかるトラップ部の入口ＴＩの中心ＴＯは、通常の洋風便器本体では入口ＴＩが左右対称に形成されるため、入口ＴＩの前後方向の各端ＴＲ、ＴＦが１点であれば、後端ＴＲと前端ＴＦとを結ぶ線分ＴＬの中点である。また、図２に示すように、入口ＴＩの前後方向の少なくとも１端が水平線ＴＨであれば、その又はそれらの水平線ＴＨの中点ＴＨＯにより同様に決定される。
【００１２】
また、図３に示すように、ボウル部Ｂの水平方向での中央ＢＯは、通常の洋風便器本体ではボウル部Ｂが左右対称に形成されるため、ボウル部Ｂの前後方向の各端が１点であれば、後端に立てる垂線ＢＲと前端に立てる垂線ＢＦとの中間に仮定される垂線により決定される。図４に示すように、ボウル部Ｂの前後方向の少なくとも１端が水平線ＢＨであれば、その又はそれらの水平線ＢＨの中点に立てる垂線ＢＨＯにより同様に決定される。
【００１３】
本発明の洋風水洗式便器では、トラップ部の頂端より上流側がボウル部の後壁により形成されていることが好ましい。上流側がボウル部の後壁とは異なる壁により形成されているとすると、その壁が前後方向に厚みを有することになるとともに、ボウル部の後壁とその壁との間にも前後方向で厚みを有する隙間を生じることとなり、これらの寸法により、洋風便器本体の全長が前後方向で長くなる。これに対し、上流側がボウル部の後壁により形成されるとすれば、その寸法を生じることがなく、洋風便器本体の全長が前後方向で短くなる。
【００１４】
ここで、トラップ部の頂端はボウル部内に溜水を形成する部分であり、逆Ｕ字形状をなす水路を形成する内底面の最上位置である。このトラップ部の頂端は、トラップ部の排出方向に直交する断面形状により、１点又は水平線として決定される。
【００１５】
また、本発明の洋風水洗式便器では、トラップ部が頂端より上流側で内面を円筒面とする円筒部を有する場合、その円筒部の軸芯線は水平方向に対して４５度以上で延在していることが好ましい。こうであれば、溜水の水位を確保しつつ、トラップ部による洋風便器本体の前後方向での短縮化を実現できる。
【００１６】
さらに、本発明の洋風水洗式便器では、トラップ部の頂端より下流側は前方に屈曲していることが好ましい。洋風便器本体の全長が短くなれば、少なくともトラップ部を隠蔽する台座部も小さくされ得る。こうして台座部を小さくすれば、トラップ部の排出口が台座部内の後方がわの壁面に近づきやすく、排水ソケットと好適に接続できないおそれがある。この点、トラップ部の頂端より下流側を前方に屈曲させれば、例え台座部を小さくしても、その排出口が台座部内の後方側の壁面から離れ、排水ソケットと好適に接続できる。
【００１７】
洗浄装置としては、外部より洗浄水を供給する水道管等の給水管に直結され、バルブの開閉により洗浄水を吐出可能なものを採用する。この洗浄装置を採用する場合に本発明の効果が大きい。従来公知の洗浄タンクは、洗浄水を一旦貯留して吐出するものであり、相当の容積が必要となる。このため、狭いトイレ室の広大化を図るために本発明に係る洋風便器本体を採用しつつ、相当の容積を要するその洗浄タンクを採用するのであれば、本発明の効果が縮減されてしまう。この点、この洗浄装置を採用すれば、従来の洗浄タンクを必要としないので、狭いトイレ室の広大化を図るという本発明の効果を際立たせることができる。
【００１８】
【発明の実施の形態】
以下、本発明を具体化した実施形態１、２を図面を参照しつつ説明する。
（実施形態１）
【００１９】
実施形態１の洋風水洗式便器では、図５に示すように、陶器製の洋風便器本体１１と、外部より洗浄水を供給する図示しない給水管に直結され、図示しないバルブの開閉により洗浄水を吐出させてこの洋風便器本体１１に洗浄水を供給する洗浄装置１２とを備えている。なお、便座及び便蓋は図示を省略している。
【００２０】
洋風便器本体１１は、ボウル部１３と、このボウル部１３の上縁の全周に形成され、ボウル部１３に洗浄水を流下可能なリム通水路１４ａを内部にもつリム１４と、ボウル部１３の下端に接続されたトラップ部１５とを有している。
【００２１】
リム通水路１４ａの後方には洗浄装置１２と接続されたリム用配管２０が設けられている。また、トラップ部１５は頂端１５ｄによりボウル部１３内に溜水を形成する溜水部１５ａを有している。ここで、トラップ部１５の頂端１５ｄは排出方向に直行する断面形状により１点又は水平線として決定されている。溜水部１５ａの底部にはノズル口１５ｂが貫設され、ノズル口１５ｂには洗浄装置１２とジェット用配管１８により繋がるジェットノズル１９が設けられている。ジェットノズル１９のジェット口１９ａは頂端１５ｄを指向している。
【００２２】
また、トラップ部１５の入口ＴＩの中心ＴＯは、ボウル部１３の中央ＢＯより前に位置している。ここで、トラップ部１５の入口ＴＩは、ボウル部１３からトラップ部１５に至る部分であり、水平方向に延在している。ボウル部１３からトラップ部１５に至る部分は、ボウル部１３の後壁１３ｂの下端１３ｄ（ＴＲ）により決定されている。かかる入口ＴＩの中心ＴＯは、下端１３ｄ（ＴＲ）と入口ＴＩの前端ＴＦとを結ぶ線分ＴＬの中点である。
【００２３】
さらに、ボウル部１３の水平方向での中央ＢＯは、ボウル部１３の後端１３ｒに立てる垂線ＢＲとボウル部１３の前端１３ｆに立てる垂線ＢＦとの中間に仮定される垂線により決定される。ここで、ボウル部１３とリム１４との境界における最も後方側の部分がボウル部１３の後端１３ｒであり、最も前方側の部分がボウル部１３の前端１３ｆである。
【００２４】
また、トラップ部１５は頂端１５ｄより上流側で内面を円筒面とする円筒部１５ｈを有している。この円筒部１５ｈの軸芯線１５ｇは水平方向に対して角度θ（θ＝４５度）で延在している。
【００２５】
なお、トラップ部１５の頂端１５ｄより下流側の排出口１５ｃには上下に延在する排水ソケット１７が接続され、排水ソケット１７は床面より突出した図示しない排水管と接続される。
【００２６】
以上のように構成された洋風水洗式便器では、洗浄水が洗浄装置１２からリム用配管２０を介してリム通水路１４ａに供給され、そこからボウル部１３に流下される。また、洗浄水が洗浄装置１２からジェット用配管１８及びジェットノズル１９を介してジェット口１９ａより噴出され、トラップ部１５に強制的にサイホン効果を生じさせる。これにより、洗浄水は汚物とともにトラップ部１５に沿って後方側に排出され、排出口１５ｃから排水ソケット１７を介して排水管に排出される。
【００２７】
こうして、この洋風水洗式便器では、トラップ部１５の水平方向に延在する入口ＴＩの中心ＴＯがボウル部１３の水平方向での中央ＢＯより前に位置しているため、洋風便器本体１１の全長が短くなっている。また、トラップ部１５の円筒部１５ｈの軸芯線１５ｇが水平方向に対して４５度で延在しているので、溜水の水位を確保しつつ、トラップ部１５による洋風便器本体１１の前後方向での長さが短くなっている。さらに、この洋風水洗式便器では、洗浄水を一旦貯留する洗浄タンクを有しないので、特に洋風便器本体１１の全長が短くなっている。
【００２８】
したがって、この洋風水洗式便器では、全体として小型化されるため、トイレ室の省スペースを実現でき、比較的大きなスペースを確保できないトイレ室であっても広大感を呈することができる。また、この洋風水洗式便器では、使用者がトイレ室内で動き易くなったり、スペースの他への有効利用が可能となる。さらに、こうして洋風水洗式便器が小型化することから、製造のための省資源化及び低コストを実現できる。
【００２９】
（実施形態２）
実施形態２の洋風水洗式便器では、図６に示すように、トラップ部１５の頂端１５ｄより下流側１５ｉが前方に屈曲している。他の構成は実施形態１と同様である。
【００３０】
かかる洋風水洗式便器においては、洋風便器本体１１の小型化のためにトラップ部１５を隠蔽する台座部２１を小さくしても、排出口１５ｃが台座部２１内の後方側の壁面から離れ、排水ソケット１７と好適に接続できる。他の作用効果は実施形態１と同様である。
【図面の簡単な説明】
【図１】本発明に係るトラップ部の入口の上面図である。
【図２】本発明に係る他のトラップ部の入口の上面図である。
【図３】本発明に係るボウル部の上面図である。
【図４】本発明に係る他のボウル部の上面図である。
【図５】実施形態１に係る洋風水洗式便器の縦断面図である。
【図６】実施形態２に係る洋風水洗式便器の縦断面図である。
【図７】従来の洋風水洗式便器の縦断面図である。
【符号の説明】
１３…ボウル部
１５…トラップ部
１１…洋風便器本体
ＴＩ…入口
ＴＯ…中心
ＢＯ…中央
１５ｄ…頂端
１３ｂ…後壁
１５ｈ…円筒部
１５ｇ…軸芯線
１５ｉ…下流側
１２…洗浄装置
【図１】
0004080138.tif 000002
【図２】
0004080138.tif 000003
【図３】
0004080138.tif 000004
【図４】
0004080138.tif 000005
【図５】
0004080138.tif 000006
【図６】
0004080138.tif 000007
【図７】
0004080138.tif 000008